(57)【要約】【課題】一層の薄型化を実現することができる電子機器およびプリント基板ユニットを提供する。【解決手段】ハウジング２９の突部４５は切り欠き４３に受け入れられる。プリント基板２２は突部４５の周囲でハウジング２９の平坦面４６を受け止める。例えばプリント基板２２の表面に突部４５が受け止められる場合に比べて、プリント基板２２の表面からハウジング２９の高さは抑制される。電子機器１１の一層の薄型化は実現される。しかも、切り欠き４３はプリント基板２２の輪郭を象ることから、プリント基板２２に開口が形成される場合に比べて切り欠き４３はプリント基板２２に簡単に形成される。加えて、プリント基板２２にハウジング２９の輪郭よりも大きな切り欠きが形成される場合に比べて、切り欠き４３の大きさは大幅に縮小される。プリント基板２２の表面積は増大する。プリント基板２２の表裏面にはこれまで以上に多くの導電パターンが形成される。【選択図】図４
2008071855.tif 000002
【特許請求の範囲】
【請求項１】
平坦面から突き出る突部をハウジングに区画するファンと、ハウジングの突部を受け入れる切り欠きを区画し、突部の周囲でハウジングの平坦面を受け止めるプリント基板とを備えることを特徴とする電子機器。
【請求項２】
請求項１に記載の電子機器において、前記突部に区画されて前記切り欠き内で開口する吸気口をさらに備えることを特徴とする電子機器。
【請求項３】
請求項１に記載の電子機器において、前記プリント基板の表面に形成されて、前記ハウジングを受け止める導電パターンをさらに備えることを特徴とする電子機器。
【請求項４】
請求項１に記載の電子機器において、前記突部から延びる配線と、前記プリント基板に形成されて前記切り欠きに接続され、配線を受け入れる配線用切り欠きとをさらに備えることを特徴とする電子機器。
【請求項５】
請求項１に記載の電子機器において、前記突部に収容されて前記ファンを駆動する駆動部をさらに備えることを特徴とする電子機器。
【請求項６】
平坦面から突き出る突部をハウジングに区画するファンと、ハウジングの突部を受け入れる切り欠きを区画し、突部の周囲でハウジングの平坦面を受け止めるプリント基板とを備えることを特徴とするプリント基板ユニット。
【請求項７】
請求項６に記載のプリント基板ユニットにおいて、前記突部に区画されて前記切り欠き内で開口する吸気口をさらに備えることを特徴とするプリント基板ユニット。
【請求項８】
請求項６に記載のプリント基板ユニットにおいて、前記プリント基板の表面に形成されて、前記ハウジングを受け止める導電パターンをさらに備えることを特徴とするプリント基板ユニット。
【請求項９】
請求項６に記載のプリント基板ユニットにおいて、前記突部から延びる配線と、前記プリント基板に形成されて前記切り欠きに接続され、配線を受け入れる配線用切り欠きとをさらに備えることを特徴とするプリント基板ユニット。
【請求項１０】
請求項６に記載のプリント基板ユニットにおいて、前記突部に収容されて前記ファンを駆動する駆動部をさらに備えることを特徴とするプリント基板ユニット。
【発明の詳細な説明】
【技術分野】
【０００１】
本発明は、例えばノートブックパーソナルコンピュータ（ノートパソコン）といった電子機器に関する。
【背景技術】
【０００２】
例えば特許文献３に開示されるように、ノートパソコンにはプリント基板が組み込まれる。プリント基板上にはＣＰＵ（中央演算処理装置）パッケージが実装される。ＣＰＵパッケージの冷却にあたってヒートパイプが用いられる。ヒートパイプはファンに連結される。ファンで生成される気流はヒートパイプから熱を奪う。気流はノートパソコンの外側に排出される。こうしてＣＰＵパッケージは冷却される。
【特許文献１】特許第３６３７３０４号公報
【特許文献２】特開平１１−２１４８７７号公報
【特許文献３】特開２００３−９２４８３号公報
【発明の開示】
【発明が解決しようとする課題】
【０００３】
ファンハウジングはプリント基板の表面に固定される。ファンハウジング内でプリント基板の表面には吸気口が形成される。こうした吸気口の形成には手間がかかってしまう。その一方で、ファンハウジングの天板には平坦面から突き出る突部が区画される。突部はプリント基板の表面から所定の高さに区画される。ノートパソコンの一層の薄型化にあたって、プリント基板およびファンの設計変更が求められる。
【０００４】
本発明は、上記実状に鑑みてなされたもので、一層の薄型化を実現することができる電子機器およびプリント基板ユニットを提供することを目的とする。
【課題を解決するための手段】
【０００５】
上記目的を達成するために、本発明によれば、平坦面から突き出る突部をハウジングに区画するファンと、ハウジングの突部を受け入れる切り欠きを区画し、突部の周囲でハウジングの平坦面を受け止めるプリント基板とを備えることを特徴とする電子機器が提供される。
【０００６】
こうした電子機器では、ハウジングの突部は切り欠きに受け入れられる。プリント基板は突部の周囲でハウジングの平坦面を受け止める。その結果、例えばプリント基板の表面に突部が受け止められる場合に比べて、プリント基板の表面からハウジングの高さは抑制される。電子機器の一層の薄型化は実現される。しかも、切り欠きはプリント基板の輪郭を象ることから、プリント基板に開口が形成される場合に比べて切り欠きはプリント基板に簡単に形成されることができる。
【０００７】
加えて、前述されるように、プリント基板は突部の周囲でハウジングの平坦面を受け止める。プリント基板にハウジングの輪郭よりも大きな切り欠きが形成される場合に比べて、切り欠きの大きさは大幅に縮小されることができる。その結果、プリント基板の表面積は増大する。プリント基板の表裏面にはこれまで以上に多くの導電パターンが形成されることができる。
【０００８】
こういった電子機器は、突部に区画されて切り欠き内で開口する吸気口をさらに備えてもよい。同様に、電子機器は、プリント基板の表面に形成されて、ハウジングを受け止める導電パターンをさらに備えてもよい。こうしてプリント基板上には多くの導電パターンが形成されることができる。その一方で、電子機器は、突部から延びる配線と、プリント基板に形成されて切り欠きに接続され、配線を受け入れる配線用切り欠きとをさらに備えてもよい。ハウジングの突部にはファンを駆動する駆動部が収容されればよい。
【０００９】
以上のような電子機器の実現にあたってプリント基板ユニットが提供される。プリント基板ユニットは、平坦面から突き出る突部をハウジングに区画するファンと、ハウジングの突部を受け入れる切り欠きを区画し、突部の周囲でハウジングの平坦面を受け止めるプリント基板とを備えればよい。こうしたプリント基板ユニットは前述の電子機器の実現に大いに貢献することができる。
【発明の効果】
【００１０】
以上のように本発明によれば、一層の薄型化を実現することができる電子機器およびプリント基板ユニットが提供される。
【発明を実施するための最良の形態】
【００１１】
以下、添付図面を参照しつつ本発明の一実施形態を説明する。
【００１２】
図１は本発明の一実施形態に係る電子機器の一具体例すなわちノートブックパーソナルコンピュータ（ノートパソコン）１１の外観を概略的に示す。このノートパソコン１１は、薄型の第１筐体すなわち本体筐体１２と、この本体筐体１２に揺動自在に連結される第２筐体すなわちディスプレイ用筐体１３とを備える。本体筐体１２は、ベース１２ａと、ベース１２ａに着脱自在に結合されるカバー１２ｂとを備える。カバー１２ｂの表面にはキーボード１４やポインティングデバイス１５といった入力装置が組み込まれる。利用者はこういった入力装置１４、１５から指示やデータを入力することができる。
【００１３】
ディスプレイ用筐体１３には例えばＬＣＤ（液晶ディスプレイ）パネルモジュール１６が組み込まれる。ＬＣＤパネルモジュール１６の画面は、ディスプレイ用筐体１３に区画される窓孔１７に臨む。画面にはテキストやグラフィックスが表示されることができる。利用者はそういったテキストやグラフィックスに基づきノートパソコン１１の動作を確認することができる。ディスプレイ用筐体１３は、本体筐体１２に対する揺動を通じて本体筐体１２に重ね合わせられることができる。
【００１４】
図２に示されるように、本体筐体１２内にはプリント基板ユニットすなわちマザーボード２１が収容される。マザーボード２１のプリント基板２２には冷却ユニット２３が取り付けられる。冷却ユニット２３は、例えばＣＰＵ（中央演算処理装置）チップ２４やビデオチップ２５に覆い被さる伝熱板２６と、伝熱板２６に取り付けられるファン２８とを備える。伝熱板２６は例えばねじ２７に基づきプリント基板２２に固定される。ＣＰＵチップ２４は例えばＯＳ（オペレーティングシステム）やアプリケーションソフトウェアに基づき演算処理を実施する。ビデオチップ２５は例えばＣＰＵチップの演算処理に基づき画像処理を実行する。
【００１５】
ファン２８は、伝熱板２６に取り付けられるファンハウジング２９を備える。取り付けにあたってねじ３０が用いられればよい。伝熱板２６には吸気用開口３１が形成される。ファンハウジング２９の収容空間には羽根車３２が収容される。ファンハウジング２９には送風口３３が区画される。送風口３３は、ベース１２ａの側壁に区画される排気口３４に向き合わせられる。羽根車３２の回転に基づき生成される気流は吸気用開口３１からファンハウジング２９内に導入される。気流は送風口３３および排気口３４から本体筐体１２の外側に排出される。ファンハウジング２９の脇には配線３５が延びる。
【００１６】
図３に示されるように、ファンハウジング２９は、底板３６と、底板３６の縁から立ち上がる囲み壁３７とを備える。底板３６には吸気用開口３８が区画される。羽根車３２は、回転体３９と、回転体３９の周囲で回転体３９から放射状に広がる複数枚の羽根４１とを備える。羽根車３２が回転中心軸４２回りで回転すると、吸気用開口３１、３８から回転中心軸４２に沿って空気は導入される。羽根車３２の回転で遠心方向に気流は生成される。伝熱板２６、底板３６および囲み壁３７で前述の送風口３３が区画される。送風口３３は羽根車３２の遠心方向外側に配置される。こうしたファン２８はいわゆる遠心ファンを構成する。
【００１７】
プリント基板２２には切り欠き４３が区画される。ファンハウジング２９の底板３６は切り欠き４３の周囲でプリント基板２２の表面に受け止められる。底板３６の吸気用開口３８は切り欠き４３内で開口する。プリント基板２２には配線用切り欠き４４が区画される。配線用切り欠き４４は切り欠き４３の内端に接続される。配線用切り欠き４４はファンハウジング２９の輪郭よりも外側に区画される。配線用切り欠き４４内には前述の配線３５が受け入れられる。配線３５は底板３６の吸気用開口３８からファンハウジング２９内に延びる。配線３５の一端は後述の電動モータに接続される。配線３５の他端は例えばコネクタ（図示されず）に基づきプリント基板２２に接続される。
【００１８】
図４に示されるように、ファンハウジング２９の底板３６には突部４５が区画される。突部４５は底板３６の平坦面４６から例えばベース１２ａの底面に向かって突き出る。平坦面４６は、回転中心軸４２に直交する仮想平面に沿って広がればよい。突部４５はプリント基板２２の切り欠き４３に受け入れられる。吸気用開口３８は突部４５に形成される。その一方で、プリント基板２２は突部４５の周囲で底板３６の平坦面４６を受け止める。突部４５内には駆動部すなわち電動モータ４７が収容される。電動モータ４７は羽根車３２を回転させる。電動モータ４７には前述の配線３５の一端が接続される。
【００１９】
プリント基板２２の表面にはファンハウジング２９の底板３６を受け止める導電パターン４８が形成される。導電パターン４８は、例えばプリント基板２２上に実装されるＣＰＵチップ２４やビデオチップ２５、その他の電子部品を接続する。プリント基板２２の表面では導電パターン４８上に絶縁シート４９が覆い被さる。絶縁シート４９は導電パターン４８および底板３６の間に挟み込まれる。絶縁シート４９の働きで導電パターン４８および底板３６は電気的に絶縁されることができる。図５に示されるように、切り欠き４３は吸気用開口３８を部分的に囲めばよい。切り欠き４３内で底板３６は、例えばベース１２ａの底板から立ち上がるリブ（図示されず）に受け止められればよい。
【００２０】
こういったノートパソコン１１では、ＣＰＵチップ２４やビデオチップ２５は動作中に発熱する。ＣＰＵチップ２４やビデオチップ２５の熱は伝熱板２６に伝達される。伝熱板２６にはファン２８が取り付けられる。ファン２８は、吸気用開口３１、３８から回転中心軸４２に沿って気流を導入する。羽根車３２の回転で遠心方向に気流は生成される。気流は伝熱板２６から熱を奪う。こうした気流は送風口３３および排気口３４から本体筐体１２の外側に排出される。こうしてＣＰＵチップ２４やビデオチップ２５は冷却されることができる。
【００２１】
以上のようなノートパソコン１１では、ファンハウジング２９の突部４５は切り欠き４３に受け入れられる。プリント基板２２は突部４５の周囲でファンハウジング２９の平坦面４６を受け止める。その結果、例えばプリント基板２２の表面に突部４５が受け止められる場合に比べて、プリント基板２２の表面からファンハウジング２９の高さは抑制される。本体筐体１２すなわちノートパソコン１１の薄型化は実現される。しかも、切り欠き４３はプリント基板２２の輪郭を象ることから、プリント基板２２に開口が形成される場合に比べて切り欠き４３はプリント基板２２に簡単に形成されることができる。
【００２２】
加えて、前述されるように、プリント基板２２は突部４５の周囲でファンハウジング２９の平坦面４６を受け止める。プリント基板２２にファンハウジング２９の輪郭よりも大きな切り欠きが形成される場合に比べて、切り欠き４３の大きさは大幅に縮小されることができる。その結果、プリント基板２２の表面積は増大する。プリント基板２２の表裏面にはこれまで以上に多くの導電パターン４８が形成されることができる。例えば絶縁シート４９の働きで導電パターン４８はファンハウジング２９の平坦面４６を受け止めることができる。
【００２３】
さらに、前述されるように、プリント基板２２は突部４５の周囲でファンハウジング２９の平坦面４６を受け止めることから、プリント基板２２およびファンハウジング２９の間には隙間は形成されない。プリント基板２２にファンハウジング２９の輪郭よりも大きな切り欠きが形成される場合に比べて、吸気用開口３８にはプリント基板２２の裏面に沿って生成される気流が効率的に流通することができる。プリント基板２２の裏面に実装される電子部品は効率的に冷却されることができる。
【図面の簡単な説明】
【００２４】
【図１】本発明に係る電子機器の一具体例すなわちノートブックパーソナルコンピュータの外観を概略的に示す
【図２】本体筐体の内部構造を概略的に示す斜視図である。
【図３】ファンの構造を概略的に示す拡大断面図である。
【図４】図３の４−４線に沿った断面図である。
【図５】図３に対応し、切り欠きの形状を概略的に示す断面図である。
【符号の説明】
【００２５】
１１  電子機器（ノートブックパーソナルコンピュータ）、２１  プリント基板ユニット（マザーボード）、２２  プリント基板、２８  ファン、２９  ハウジング（ファンハウジング）、３５  配線、３８  吸気口（吸気用開口）、４３  切り欠き、４４  配線用切り欠き、４５  突部、４６  平坦面、４７  駆動部（電動モータ）、４８  導電パターン。
【図１】
2008071855.tif 000003
【図２】
2008071855.tif 000004
【図３】
2008071855.tif 000005
【図４】
2008071855.tif 000006
【図５】
2008071855.tif 000007